(57)【要約】【課題】ＤＦに原稿をセットして、コピースタートすると、上から奇数ページ目の原稿の裏に偶数ページ目のコピーを行うことで、片−両と同等の書類を新たに転写紙を用いないで作成できる複写装置を提供する。【解決手段】原稿置載トレイと、原稿置載トレイより上から奇数枚目の原稿を選び出し、上から偶数枚目の原稿の内容を上から奇数枚目の原稿の裏面に複写し、原稿が奇数の場合は、最後の原稿はそのまま出力するように制御する手段とによって積成される。【選択図】　　　　図１
2004112033.tif 000002
【特許請求の範囲】
【請求項１】
複写手段と、
使用者が原稿を置載する原稿置載トレイと、
前記原稿置載トレイより原稿が移動され、実際に前記複写手段が複写する原稿を蓄積する複写原稿蓄積トレイと、
前記複写手段が原稿を読み取る画像読取手段と、
前記複写手段が画像を形成する転写紙を蓄積する転写紙蓄積トレイと、
前記複写手段が画像を形成した後の複写紙を蓄積する複写紙蓄積トレイと、
前記原稿置載トレイ上の原稿を前記画像読取手段上、前記複写原稿蓄積トレイ、及び前記転写紙蓄積トレイに搬送する原稿搬送手段と、
前記原稿置載トレイ上に置載された原稿をカウントし、前記原稿が奇数の場合は、前記原稿の原稿裏面から数えて奇数番目の、前記原稿が偶数の場合は前記原稿裏面から数えて偶数の原稿を前記原稿裏面側から順次前記原稿搬送手段によって前記転写紙蓄積トレイに搬送して原稿表面が非画像形成面となり、先入れ後出しとなるよう蓄積し、前記原稿が奇数の場合は、前記原稿の原稿裏面から数えて偶数番目の、前記原稿が偶数の場合は原稿裏面から数えて奇数の原稿を前記原稿置載トレイに原稿表面が画像読み取り面となるように先入れ後出しとなるように蓄積するよう制御する原稿転写紙搬送制御手段と、
前記複写手段によって、前記原稿蓄積手段に蓄積された原稿を先出し順に、前記転写紙蓄積トレイ上に蓄積された原稿を先出し順にそれぞれ取り、前記原稿蓄積手段からの原稿の原稿面を前記転写紙蓄積トレイ上にあった原稿の非画像両側に１対１で複写し、前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、
によってなる複写手法および、それを用いた複写装置。
【請求項２】
複写手段と、
使用者が原稿を置載する原稿置載トレイと、
前記原稿置載トレイより原稿が移動され、実際に前記複写手段が複写する原稿を蓄積する複写原稿蓄積トレイと、
前記複写手段が原稿を読み取る画像読取手段と、
前記複写手段が画像を形成する転写紙を蓄積する転写紙蓄積トレイと、
前記複写手段が画像を形成した後の複写紙を蓄積する複写紙蓄積トレイと、
前記原稿置載トレイ上の原稿を複写装置の使用者が転写紙として用いるための原稿として指示するために蓄積するガイダンストレイと、
前記原稿置載トレイ上に置載された原稿をカウントし、前記原稿が奇数の場合は、前記原稿の原稿裏面から数えて奇数番目の、前記原稿が偶数の場合は前記原稿裏面から数えて偶数の原稿を前記原稿裏面側から順次前記原稿搬送手段によって前記ガイダンストレイに搬送して原稿表面が非画像形成面となり、先入れ後出しとなるよう蓄積し、前記原稿が奇数の場合は、前記原稿の原稿裏面から数えて偶数番目の、前記原稿が偶数の場合は原稿裏面から数えて奇数の原稿を前記複写原稿蓄積トレイに原稿表面が画像読み取り面となるように先入れ後出しとなるように蓄積するよう制御する原稿転写紙搬送制御手段と、
前記ガイダンストレイ上にある原稿を、前記転写紙蓄積トレイ上に移動するように使用者に指示するガイダンス手段と、
前記ガイダンスに従って使用者が前記ガイダンストレイより前記転写紙蓄積トレイ上に前記原稿を移動した後に、動作を再開するように支持する動作再開指示手段と、
前記動作再開支持手段の動作に基づき、前記複写手段によって、前記原稿蓄積手段に蓄積された原稿を先出し順に、前記転写紙蓄積トレイ上に蓄積された原稿を先出し順にそれぞれ取り、前記原稿蓄積手段からの原稿の原稿面を前記転写紙蓄積トレイ上にあった原稿の非画像面側に１対１で複写し、前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、
によってなる複写手法及び、それを用いた複写装置。
【請求項３】
前記原稿置載トレイと兼ねる前記複写原稿蓄積トレイによってなる、
請求項１及び請求項２に記載の複写手法及び、それを用いた複写装置。
【請求項４】
複写手段と、
最初に原稿を置載する原稿置載手段と、
前記複写手段の画像読取り部分に前記原稿を導入する原稿導入手段と、
前記原稿置載手段に置載された原稿を前記複写手段の被複写紙導入部分に導入する被複写紙導入手段と、
前記模写手段によって複写された複写済紙を置載する複写済紙置載手段と、
前記置載されたｎ枚の原稿のうち、原稿面側から数えて２ｉ−１番目の原稿の裏面に２ｉ番目の原稿の表面を複写し、ｎが奇数の時はさらにｎ番目の原稿を出力紙とするように、前記複写手段、前記原稿導入手段、前記被複写紙導入手段とを制御する複写制御手段と、
前記複写紙のうち、２ｉ−１番目の面がある方向にそろい、かつ、前記方向から降順に並べ、ｎが奇数の場合は、最後にｎ番目の紙を原稿面が前記方向に並ぶように前記複写済紙置載手段上に置載されるよう制御する置載制御手段と、
によってなる、複写手法、及び、前記複写手法を記録した記録媒体。
【発明の詳細な説明】
【０００１】
【発明の属する技術分野】
本発明は、自動原稿送り機積を持つ複写装置に関するものである。
【０００２】
【従来の技術】
従来より自動原稿送り機積を搭載する複写装置において、原稿の片面を、転写紙の両面に複写する「片−両」複写モードを搭載する複写装置が広く用いられてきている。これに対して、通常の原稿の片面を転写紙の片面に複写するモードは「片−片」モードと呼ばれる。
【０００３】
この「片−両」モードの特徴は、出力される複写紙が、原稿の枚数の半分でありながら、原稿と同じ情報量を持つ事である。この事は、情報ストック、情報配信において、多いに力を発揮する。
【０００４】
例えばこの特徴を生かして、会議用の資料の枚数を「片−片」複写モードによるものの半分にしたり、ストックする資料の枚数を半分にするなどのが行われている。
【０００５】
従来は、上記の内、資料をストックする作業を行うにおいて、「片−両」コピーをする事で資料の枚数を半分にし、原稿のストック量を半分にする一方、もともとあった原稿はストックするに不必要であるので、廃棄するなどを行っていた。
【０００６】
あるいは、原稿をそのままストックすることを選択していた。
【０００７】
【発明が解決しようとする課題】
しかしながら、上記従来例において：
▲１▼原稿そのものを保管すれば廃棄しなくてもすむ原稿を、廃棄するので紙資源の無駄となる。
【０００８】
▲２▼原稿そのものを保管すれば使用しなくてもすむ新しい転写紙を、使用するため紙資源の無駄となる。
【０００９】
▲３▼かといって、原稿そのものを保管すると、資料のストックスペースが倍となり、スペース効率が悪くなる。
【００１０】
以上のように、従来は、ストックスペースと、紙資源の無駄が相反しており、情報ストック作業の妨げとなっていた。
【００１１】
本発明は、このような課題に鑑み、原稿自動送り装置に置載された原稿のうち、上から数えて奇数枚目の原稿の裏面に、上から数えて偶数枚めの原稿の画像を複写する「原稿片−片」モード（本提案書にて命名）を用いる手により、資料のストック作業を無駄なく、かつ効率よく行える複写手法、前記複写手法を記録した記録媒体、及び前記複写手法もしくは前記記録媒体を用いた複写装置を提供する。
【００１２】
【課題を解決するための手段】
上記目的を達成するため、請求項１の本発明は、複写手段と、使用者が原稿を置載する原稿置載トレイと、前記原稿置載トレイより原稿が移動され、実際に前記複写手段が複写する原稿を蓄積する複写原稿蓄積トレイと、前記複写手段が原稿を読み取る画像読取手段と、前記複写手段が画像を形成する転写紙を蓄積する転写紙蓄積トレイと、前記複写手段が画像を形成した後の複写紙を蓄積する複写紙蓄積トレイと、前記原稿置載トレイ上の原稿を前記画像読取手段上、前記複写原稿蓄積トレイ、及び前記転写紙蓄積トレイに搬送する原稿搬送手段と、前記原稿置載トレイ上に置載された原稿をカウントし、前記原稿が奇数の場合は、前記原稿の原稿裏面から数えて奇数番目の、前記原稿が偶数の場合は前記原稿裏面から数えて偶数の原稿を前記原稿裏面側から順次前記原稿搬送手段によって前記転写紙蓄積トレイに搬送して原稿表面が非画像形成面となり、先入れ後出しとなるよう蓄積し、前記原稿が奇数の場合は、前記原稿の原稿裏面から数えて偶数番目の、前記原稿が偶数の場合は原稿裏面から数えて奇数の原稿を前記原稿置載トレイに原稿表面が画像読み取り面となるように先入れ後出しとなるように蓄積するよう制御する原稿転写紙搬送制御手段と、前記複写手段によって、前記原稿蓄積手段に蓄積された原稿を先出し順に、前記転写紙蓄積トレイ上に蓄積された原稿を先出し順にそれぞれ取り、前記原稿蓄積手段からの原稿の原稿面を前記転写紙蓄積トレイ上にあった原稿の非画像面側に１対１で複写し、前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、によってなることを特徴とする。
【００１３】
上記目的を達成するため、請求項２における本発明は、複写手段と、使用者が原稿を置載する原稿置載トレイと、前記原稿置載トレイより原稿が移動され、実際に前記複写手段が複写する原稿を蓄積する複写原稿蓄積トレイと、前記複写手段が原稿を読み取る画像読取手段と、前記複写手段が画像を形成する転写紙を蓄積する転写紙蓄積トレイと、前記複写手段が画像を形成した後の複写紙を蓄積する複写紙蓄積トレイと、前記原稿置載トレイ上の原稿を複写装置の使用者が転写紙として用いるための原稿として指示するために蓄積するガイダンストレイと、前記原稿置載トレイ上に置載された原稿をカウントし、前記原稿が奇数の場合は、前記原稿の原稿裏面から数えて奇数番目の、前記原稿が偶数の場合は前記原稿裏面から数えて偶数の原稿を前記原稿裏面側から順次前記原稿搬送手段によって前記ガイダンストレイに搬送して原稿表面が非画像形成面となり、先入れ後出しとなるよう蓄積し、前記原稿が奇数の場合は、前記原稿の原稿裏面から数えて偶数番目の、前記原稿が偶数の場合は原稿裏面から数えて奇数の原稿を前記複写原稿蓄積トレイに原稿表面が画像読み取り面となるように先入れ後出しとなるように蓄積するよう制御する原稿転写紙搬送制御手段と、前記ガイダンストレイ上にある原稿を、前記転写紙蓄積トレイ上に移動するように使用者に指示するガイダンス手段と、前記ガイダンスに従って使用者が前記ガイダンストレイより前記転写紙蓄積トレイ上に前記原稿を移動した後に、動作を再開するように支持する動作再開指示手段と、前記動作再開支持手段の動作に基づき、前記複写手段によって、前記原稿蓄積手段に蓄積された原稿を先出し順に、前記転写紙蓄積トレイ上に蓄積された原稿を先出し順にそれぞれ取り、前記原稿蓄積手段からの原稿の原稿面を前記転写紙蓄積トレイ上にあった原稿の非画像両側に１対１で複写し、前記複写紙トレイ上に蓄積し、前記複写原稿蓄積トレイ上に複写すべき原稿がなくなった時に前記転写紙蓄積トレイ上に原稿がある時は、前記原稿を前記複写紙蓄積トレイ上に移動するよう制御する複写制御手段と、によってなる事を特徴とする。
【００１４】
上記目的を達成するため、請求項３においては、請求項１及び請求項２においてさらに、前記原稿置載トレイと兼ねる前記複写原稿蓄積トレイによってなるとよい。
【００１５】
上記目的を達成するため、請求項４における本発明は、複写手段と、最初に原稿を置載する原稿置載手段と、前記複写手段の画像読取り部分に前記原稿を導入する原稿導入手段と、前記原稿置載手段に置載された原稿を前記複写手段の被複写紙導入部分に導入する被複写紙導入手段と、前記複写手段によって複写された複写済紙を置載する複写済紙置載手段と、前記置載されたｎ枚の原稿のうち、原稿面から数えて２ｉ−１番目の原稿の裏面に２ｉ番目の原稿の表面を複写し、ｎが奇数の時はさらにｎ番目の原稿を出力紙とするよう制御するように、前記複写手段、前記原稿導入手段、前記被複写紙導入手段とを制御する複写制御手段と、前記複写紙のうち、２ｉ−１番目の面がある方向にそろい、かつ、前記方向から降順に並べ、ｎが奇数の場合は、最後にｎ番目の紙を原稿面が前記方向に並ぶように前記複写済紙置載手段上に置載されるよう制御する置載制御手段と、
によってなる事を特徴とする。
【００１６】
【発明の実施の形態】
以下に、図面を参照して、この発明の好適な実施の形態を例示的に詳しく説明する。但し、この実施の形態に記載されている積成部品の寸法、材質、形状、その相対位置などは、特に特定的な記載がない限りは、この発明の範囲をそれらのみに限定するものではない。
【００１７】
なお、以下の説明では、複写装置及び手段について説明するが、これから説明する部分以外の複写動作及び用紙ハンドリングに関する動作については、公知技術であるので、本発明の説明において特に重要となる部分のみ説明し、他は略する。
【００１８】
（第１の実施の形態）
図１〜図７を参照にして、本発明の第１の実施の形態に係る画像読み取り装置について説明する。
【００１９】
図１は、本発明を搭載する複写装置の一例である。
【００２０】
複写手段１は、原稿台５に置載された原稿を読取り、転写紙トレイ３に置載された転写紙上に複写し、排紙トレイ６に排紙する。これら、複写手段１の動作は全て、公知の技術に基づくものである。
【００２１】
転写紙トレイ３は、転写紙を蓄積し、複写手段１に転写紙を供給する。また、リフター４によって、上方に移動され、図１の３’の位置まで移動する事ができる。使用方法については後述する。「３’の位置」に対して、本図で実線で示されるリフター３が転写紙を給紙する位置を「３の位置」と呼ぶ事とする。
【００２２】
原稿搬送装置２は、原稿置載トレイ７上に置載される原稿を搬送し、原稿台５に搬送する事ができる。また、原稿置載トレイ７上にある原稿搬送手段（図示しない）に、複数の原稿が重ねて置載された場合は、原稿の上部と下部の双方から原稿を搬送する事ができる。
【００２３】
また、原稿台５上に搬送された原稿は、再度原稿置載トレイ７上に搬送される、原稿排紙トレイ８上に搬送される、転写紙トレイ３’上に排紙されると、必要に応じて３箇所に排出する事ができる。
【００２４】
これらの動作は全てＣＰＵ（図示しない）からの司令によって行われる。
【００２５】
図２を用いて、転写紙トレイ３がリフクー４によって移動され、３’まで至った時の動作について説明する。
【００２６】
このとき、原稿搬送装置２によって搬送された原稿は、そのまま矢印ｂの方向に搬送され、転写紙トレイ３上にまで搬送される。転写紙トレイ３まで搬送された原稿は、そのまま転写紙トレイが元の位置（３の位置）に戻ってきた後、複写装置１における転写紙の用に給する事ができる。
【００２７】
図３より、順を追って、本発明におけるモードの動作における原稿の振る舞いについて説明する。
【００２８】
図３においては、５枚の原稿が原稿トレイ７に置載されており、モードスタートキー（図示しない）を押す事によって、転写紙トレイ３がリフター４によって３’の位置まで移動されている。
リフター４が動作している間、原稿をカウントし、原稿が奇数枚か、偶数枚かに応じて、動作モードを切り分ける。
【００２９】
図４、５においては、原稿が奇数枚時の動作についての説明である。
【００３０】
転写紙トレイ３が３’の位置までの移動を終えると、原稿搬送手段２は、原稿を下部から順番に原稿台５に送り込み、上から数えて奇数原稿は、転写紙トレイ３’に搬送し、上から数えて偶数原稿は再度原稿トレイ７に戻す動作を、置載された原稿すべてにおいて繰り返す。すなわち、本例では原稿は奇数枚なので、上から奇数枚目と、下から奇数枚目は等価となる。すべての搬送を終了すると、図４に示す配置となる。すなわち、原稿トレイ７には、偶数原稿が、元の順番でそのまま残り、転写紙トレイ３’には、奇数原稿が順番はそのままに、すべての原稿においてひっくり返された状態で置載される。
【００３１】
このような、原稿を振り分ける動作の終了後、転写紙トレイ３’は、リフター４によって、元の場所３に戻り、図５（ａ）の状態となる。これ以降は煩雑さを避けるため、略してしめす。なお、各図において、上方は原稿トレイ７、上方右は原稿排紙トレイ８、右側は転写紙トレイ３、左側は転写紙排紙トレイ６とする。
【００３２】
原稿搬送装置２は、原稿置載トレイ７上の原稿の最も上にある原稿（▲２▼）を、原稿台５上に搬送する。複写手段２は、転写紙トレイ３の最も上にある転写紙（▲１▼）を給紙し、原稿▲２▼上の画像を転写紙▲１▼上に複写して排出する（ｂ）。原稿▲２▼は、原稿排紙トレイ８に排紙される。
【００３３】
同様に、原稿搬送装置２は、原稿置載トレイ７上の原稿の最も上にある原稿（▲４▼）を、原稿台５上に搬送する。複写手段２は、転写紙トレイ３の最も上にある転写紙（▲３▼）を給紙し、原稿▲２▼上の画像を転写紙▲３▼上に複写して排出する（ｄ）。
【００３４】
最後に、転写紙▲５▼は、画像を形成するべき原稿がないので、そのまま何もせずに複写手段２を通過し、排紙トレイ６上に排紙する。
【００３５】
以上のアルゴリズムで、原稿置載トレイ７に最初に置載された原稿の、上から奇数枚目の原稿の裏面に、上から偶数番目の原稿の内容をコピーする事ができる。
【００３６】
この場合は、原稿▲１▼の面が下向きとなっており、出力内容は、片−両をフェイスダウンで出力したものと同等となる。また、上下関係については、搬送方向を上下向きとして設定した場合のみの動作である。つまり、通常のビジネス原稿のようにＡ４縦で上下関係のある書類の場合は、原稿は搬送方向、すなわち、縦送りでセットする必要がある。
【００３７】
図６を用いて、最初に置載された原稿が偶数枚時の動作について説明する。
【００３８】
この場合も、原稿を振り分ける処理をする前に原稿をカウントしており、現行の数は分かっているため、原稿置載トレイ７の下から数えた場合は、奇数枚目をトレイ７に戻し、偶数枚目は転写紙トレイ３上に移動させる。
【００３９】
最初は、図５と同様、トレイ７上の原稿を上部から給紙し、トレイ３の原稿も上部から給紙するため、原稿▲１▼の裏面に原稿▲２▼の画像を形成し、原稿排紙トレイ６に排紙される。
【００４０】
次に、前記と同様に複写されるため、原稿▲３▼の裏面に原稿▲４▼の画像を形成し、原稿排紙トレイ６に排紙される。
【００４１】
排紙された内容は、同様に片−両の出力をフェイスダウンしたものと同等である。
【００４２】
図７におけるフローチャートを用いて、本発明における一般的なアルゴリズムについて説明する。
【００４３】
「原稿片−片モード」に設定し、コピーを開始すると（Ｓ７０１、リフター４によって転写紙トレイ３を３’の位置に移動する（Ｓ７０２）。Ｓ７０３において、原稿置載トレイ７上の原稿をカウントする。Ｓ７０４において、原稿搬送手段２は、原稿置載トレイ７上の原稿の内、上から奇数枚目を転写紙トレイ３’に移動する。具体的には、Ｓ７０３において奇数と判断された時は、下から奇数枚日の原稿を、偶数と判断された時は下から偶数番目の原稿を転写紙トレイ３’に移動する。Ｓ７０４における移動がすべて終了すると、リフター４によって、トレイ３は３の位置に移動される。
【００４４】
Ｓ７０８において、原稿置載トレイ７上に原稿がある場合は、転写紙トレイ３の一番上の原稿（転写紙）に原稿置載トレイ７上の一番上の原稿をコピーしてトレイ６に排出する。
Ｓ７０８を、Ｓ７０７の条件文がＦとなるまで続ける。
【００４５】
トレイ７上に原稿が残っていれば、（すなわち、最初の原稿の枚数が奇数枚であれば）転写紙にそのまま画像形成せずに排紙し、コピージョブを終了する。
【００４６】
（第２の実施の形態）
図８を参照にして、本発明の第１の実施の形態に係る画像読み取り装置について説明する。
【００４７】
本発明においては、図１におけるリフター４を省き、トレイ３を常に転写紙を蓄積する用にのみ用いる積成とする。
【００４８】
但しこの場合、広く用いられているＬＣＤディスプレイや、メッセージ付きＬＥＤ等の手段によって、使用者にガイダンス表示を行える積成を取る。また、使用者がガイダンス道理の操作をした後で、機械の動作を再開させる再開ボタンを設ける。通常は、広く用いられるコピースタートボタンにより行う。
【００４９】
図８を用いて、動作の詳細について説明する。
【００５０】
使用者は、「原稿片−両モード」を設定し、動作を開始する（Ｓ８０１）。
【００５１】
機械は、原稿置載トレイ７上の原稿をカウントし（Ｓ８０２）、枚数に応じて原稿置載トレイ７上の原稿のうち、上から奇数枚目がトレイ８に移動するよう制御する（Ｓ８０３）。
【００５２】
ここで、前述のガイダンス機積を用い、「トレイ８からトレイ３に原稿を移動して下さい」旨の表示を行い、動作を一旦停止する。
【００５３】
ここで使用者は、ガイダンス通りにトレイ８からトレイ３へ原稿を移動し、再開ボタンを押す。
【００５４】
再開ボタンが押されると（Ｓ８０５）、機械は再度動作を開始するが、Ｓ８０８以降の動作は、Ｓ８０８以降の動作と同じであるので、詳細な説明は略する。
【００５５】
【発明の効果】
これまで説明したとおり、本発明によって、片面原稿を紙資源を無駄にすることなく両面原稿に変換できる「原稿片−両」モードを実行可能な複写装置を提供する事ができる。
【００５６】
特に請求項１において本発明は、使用者がモードをセットするだけで「原稿片−両」を全自動で行う事ができる複写システムを、従来の複写システムに必要最小限度の追加工を加える事によって実現できる。
【００５７】
また、請求項２において本発明は、従来ある複写装置をシステムをそのまま用い、ガイダンス機能と、制御機能の追加のみで請求項１の効果に近い効果を得る事ができる。
【００５８】
また、請求項３において本発明は、複写機の機積に限定を加えることなく、「原稿片−両」モードを搭載する複写装置を提供する事ができる。
【図面の簡単な説明】
【図１】本発明の第１の実施の形態に係る複写装置が適用された画像形成装置の概略構成図である。
【図２】本発明の第１の実施の形態に係る原稿搬送の概略説明図である。
【図３】本発明の第ｌの実施の形態に係る最初に原稿が原稿トレイに置載された状態図である。
【図４】本発明の第１の実施の形態に係る置載された原稿のうち上から数えて奇数枚めの原稿が転写紙トレイに移動された時の状態図である。
【図５】（ａ）〜（ｄ）本発明の第１の実施の形態に係る原稿が奇数時の複写動作時の原稿の移動の状態図である。
【図６】（ａ）〜（ｃ）本発明の第１の実施の形態に係る原稿が偶数時の複写動作時の原稿の移動の状態図である。
【図７】本発明の第１の実施の形態に係る動作のフロー図である。
【図８】本発明の第２の実施の形態に係る動作のフロー図である。
【図１】
2004112033.tif 000003
【図２】
2004112033.tif 000004
【図３】
2004112033.tif 000005
【図４】
2004112033.tif 000006
【図５】
2004112033.tif 000007
【図６】
2004112033.tif 000008
【図７】
2004112033.tif 000009
【図８】
2004112033.tif 000010